(57)【要約】　　　（修正有）【解決手段】「ラッキー・トゥギャザー」と命名された新品種の四つ葉クローバー、およびこれを多量に作出する方法を開示する。新品種の四つ葉クローバーの作出方法は、（ａ）クローバーを滅菌し、（ｂ）このクローバーを化学薬品で処理して、クローバーの突然変異および細胞分裂を誘発させ、（ｃ）突然変異したクローバーを発根させ、（ｄ）この品種のクローバーを無性生殖的に増殖させ、（ｅ）この品種の形質を野生型クローバーの形質と比較し、（ｆ）この品種の形質が均一であることを確認する段階を含んでなる。【効果】本四つ葉クローバーは、性質が強く、耐低温性が強く、耐疾病性に優れている。更に、本発明によるクローバーは、強い光線の下で速やか且つ良好に作出し、雑草との競争に打ち克つことができる。従って、このクローバーは、飼料だけでなく、土壌の品質の改良に用いることもできる。従って、この品種のクローバーは、一層高い商業的および装飾的価値を有する。【選択図】　図４
2004000158.tif 000002
【特許請求の範囲】
【請求項１】
四つ葉クローバーの新品種の作出方法であって、
（Ａ）　野生型の三つ葉クローバーの葉を含む茎切片を用意し、ここでこの段階は、
（ａ）　野生型三つ葉クローバーから約５ｃｍの長さの葉を含む茎を切り取り、
（ｂ）　茎から葉を除いた後、成長点を含む茎を３〜４センチの長さに切断して茎の切片を得、
（ｃ）　該切片をコニカルフラスコに移し、それらを７０％エチルアルコール溶液を用いて２０〜３０秒間処理して該切片を滅菌した後、切片を滅菌水で３回洗浄し、
（ｄ）　該切片を１．０％ＮａＯＣｌ溶液を用いて１５分間処理した後、該切片を滅菌水で３回洗浄することを含んでなり、
（Ｂ）　前記（Ａ）の滅菌切片をクリーンベンチ内で２〜３ｍｍの長さに切断し、ここで切断した切片のそれぞれは、切片から苗条が成長できるように成長点を含んでなり、
（Ｃ）　前記（Ｂ）の苗条を、温度が５℃の冷水を用いて２０秒間処理し、次にこれを０．１〜０．３μｇ／ｌのエチルメタンスルホネートを用いて連続的に処理した後、苗条を滅菌水で洗浄して、突然変異および勢いのある細胞分裂を誘導し、２０〜２２℃の温度および５００ルックスの光度の条件下にて、基本ＭＳ培地、０．５〜２．０ｍｇ／ｌの６−ベンジルアミノプリン、０．５ｍｇ／ｌのインドール−３−酢酸、および０．５ｍｇ／ｌのα−ナフタレン酢酸を含んでなる培地中において、苗条をインキュベーションし、
（Ｄ）　四つ葉クローバーを無性生殖的に増殖させ、ここでこの段階は、
（ａ）　芽と根が組織培養および根誘発培地において発生するときに、苗条を、湿度９０％、温度１８〜２０℃および光度７０％の環境下の温室中のパーライト、ピートモス、および滅菌砂を互いに１：１：１の比で混合した混合物を含んでなる土壌に移植し、
（ｂ）　この土壌から選択した四つ葉クローバーについての組織培養の無性増殖を５世代にわたって繰り返し行い、
（ｃ）　クローバーに分割／移植または挿木を行って新規な品種を得ることを含んでなる
段階を含んでなる、方法。
【請求項２】
苗条をインキュベーションする段階（Ｃ）において、カルス形成および透明度比を減少させることができるように、６−ベンジルアミノプリンとスクロースの濃度がそれぞれ約１．０〜２．０ｍｇ／ｌおよび約１５〜２０ｇ／ｌである、請求項１に記載の四つ葉クローバーの新品種の作出方法。
【請求項３】
新品種が野生型クローバーと比較して下記表に開示されているような形質を有する、請求項１または２に記載の四つ葉クローバーの新品種の作出方法。
【化１】
2004000158.tif 000010
【発明の詳細な説明】
【０００１】
【発明の背景】
発明の分野
本発明は、四つ葉クローバーの変種およびその無性増殖に関する。
従来の技術
２５０種を上回るクローバーがある。いずれも、エンドウ科の一員である。クローバーは、通常は小さな丸い浅裂葉からなるシャムロックであると考えられている。白クローバー（Ｔｒｉｆｏｌｉｕｍ　ｒｅｐｅｎｓｅ　Ｌ．）は、実際上合衆国原産である。これは、純種の多年生植物であり、白い花をつけ、ときには四つ葉クローバーをつける。深紅色クローバー（Ｔｒｉｆｏｌｉｕｍ　ｉｎｃａｒｎａｔｕｍ）は、ハイウェーの中央に普通に植えられている一年生クローバーである。これも、丸い浅裂葉を有し、深紅色の花をつける。一般に、クローバーは、その花の色によって白クローバーと紅クローバー（Ｔｒｉｆｏｌｉｕｍ　ｐｒａｔｅｎｓｅ　Ｌ．）とに分類される。白クローバーは、典型的には短くまっすぐな根と、小さな茎と三葉を有する。白クローバーは、這うように伸びる茎の一部を用いて培養することができ、また根節から無性生殖的に増殖させることもできる。白クローバーは、一般に白色の花をつけるものとして分類される。白クローバーのそれぞれの葉は卵形であり、見た目に美しいものではない。
【０００２】
四つ葉クローバーの花言葉は「幸運」、「希望」、「愛」、および「信頼」として知られており、多くの人々が四つ葉クローバーを保有することを願っているが、天然の四つ葉クローバーを見つけることは容易ではない。従って、四つ葉クローバーは希少価値のみならず装飾的価値も有するので、それらは大きな商業的価値を有するものと考えられる。このため、四つ葉クローバーは、例えば、消費者を引きつける目的で、アクセサリー、ピーアール商品、贈答品、押し花、およびドライフラワーのような様々な商品の製造に用いられてきた。従って、生育が速く且つ環境に容易に順化させることができる新規な種類の四つ葉クローバーを開発することが求められてきた。
【０００３】
朝鮮原産の従来のクローバーには、時々四つ葉クローバーが見られる。これらのクローバーは、典型的には卵形の緑葉と比較的短い茎を有するが、優れた地面被覆能力を有している。時折見られる四つ葉クローバーは自然突然変異によって生じるので、四つ葉クローバーを大規模に生産することは困難である。
【０００４】
一方、外国から朝鮮に導入され、栽培されて飼料として用いられてきた三つ葉のクローバーとしては、商業上利用可能な紅クローバー綱、例えば、ＴＲ２０００、Ｔｉｔｕｓ、ＫｅｎｌａｎｄおよびＡｔｌａｓが挙げられる。しかしながら、これらの品種のクローバーは、栽培が難しいだけでなく、朝鮮の環境に順化させるのも困難である。従って、十分に成長し且つ強い性質を有する新規な品種の四つ葉クローバーの開発が求められている。
【０００５】
【発明の概要】
本発明は、上記の問題点を解決する目的で創作された。
本発明の目的は、新規な品種の四つ葉クローバーを提供することである。
本発明のもう一つの目的は、新規な品種の四つ葉クローバーの作出方法を提供することである。
【０００６】
本発明の第一の目的を達成するため、四つ葉クローバーの変種を提供する。本発明の一態様では、野生型クローバーの匍匐茎を突然変異誘発因子で処理する。更に具体的には、三つ葉を含む匍匐茎の一部を白クローバーから切り離した後、エチルアルコールで滅菌する。次に、この茎を、ＥＭＳ（エチルメタンスルホネート）、ＢＡＰ（６−ベンジルアミノプリン）、ＩＡＡ（インドール−３−酢酸）、およびＮＡＡ（α−ナフタレン酢酸）のようなムターゼで再度処理し、突然変異を誘発させ、培地でインキュベーションする。連続的に、四つ葉クローバーを、培地でインキュベーションした苗条から選択し、これを繰り返し培養する。この四つ葉クローバーの変種を培地でインキュベーションして、発根させる。発根したクローバーをポートに移し、適当な茎をポートから選択する。次に、選択した茎について組織培養を５世代行う。最後に、新規な四つ葉クローバーの変種の形質を、野生型クローバーと比較して同定し、この変種の形質の均一性を確かめる。
【０００７】
本発明の第二の目的を達成するために、四つ葉クローバーの変種の作出方法であって、クローバーを無性生殖により増殖させる方法を提供する。本発明の新品種の四つ葉クローバーの作出方法は、ａ）クローバーを滅菌し、ｂ）クローバーを化学薬品で処理して、その突然変異および細胞分裂を誘発し、ｃ）この変種を発根させ、ｄ）このクローバーの変種を無性生殖的に増殖させ、ｅ）この変種の形質を野生型クローバーと比較し、ｆ）変種の形質の均一性を確認する段階を含んでなる。
【０００８】
段階（ａ）では、３枚の葉を含む匍匐茎切片を野生型白クローバーから切り取り、総ての葉を取り去る。次に、成長点を含む切片を再度約３ｃｍの長さに切断した後、エチルアルコールで滅菌する。最後に、滅菌した切片を蒸留水で洗浄する。
【０００９】
段階（ｂ）では、段階（ａ）の切片をエチルメタンスルホネートで処理して、白クローバーの苗条切片の突然変異および活発な細胞分裂を誘発し、次いで基本ＭＳ培地中で６−ベンジルアミノプリン、インドール−３−酢酸およびα−ナフタレン酢酸で処理する。
【００１０】
段階（ｃ）では、白クローバーの該苗条切片をインキュベーションすることによって得られる四つ葉クローバーの茎を選択して、培地中で発根させる。
【００１１】
段階（ｄ）では、根を有する茎をポートに移植して、四つ葉クローバーが成長できるようにする。次に、四つ葉クローバーの茎をポートから選択して５世代にわたって組織培養を行い、これによって「ラッキー・トゥギャザー（Ｌｕｃｋｙ　Ｔｏｇｅｔｈｅｒ）」と命名された新種の四つ葉クローバーを得る。
【００１２】
段階（ｅ）では、このクローバーの変種の形質を、野生型クローバーの形質と比較して検討する。
【００１３】
段階（ｆ）では、この四つ葉クローバーの変種の茎および根を分割して、移植した後、この変種の均一性を確認し、定着させる。
【００１４】
【発明の具体的説明】
本発明の一態様によれば、四つ葉クローバーの新品種の作出方法が提供される。
【００１５】
本発明の四つ葉クローバーの新品種の作出方法は、（ａ）クローバーを滅菌し、（ｂ）このクローバーを化学薬品で処理して、クローバーの突然変異および細胞分裂を誘発させ、（ｃ）突然変異したクローバーを発根させ、（ｄ）このクローバーの変種を無性生殖的に増殖させ、（ｅ）この変種の形質を野生型クローバーの形質と比較し、（ｆ）この変種の形質が均一であることを確認する段階を含んでなる。
【００１６】
段階（ａ）では、３枚の葉を有する匍匐茎を野生型白クローバーから切り取り、総ての葉を除く。次に、成長点を含む切片を約３ｃｍの長さに切断した後、エチルアルコールで滅菌する。最後に、滅菌した切片を、蒸留水で３回洗浄する。
【００１７】
段階（ｂ）では、段階（ａ）の切片をエチルメタンスルホネートで処理して白クローバーの苗条切片の突然変異および活発な細胞分裂を誘発させ、これを次に基本ＭＳ培地中で６−ベンジルアミノプリン、インドール−３−酢酸およびα−ナフタレン酢酸で処理する。
【００１８】
段階（ｃ）では、白クローバーの該苗条切片をインキュベーションすることによって得られた四つ葉クローバーの茎を選択して、培地中で発根させる。
【００１９】
段階（ｄ）では、根を有する茎をポートに移植して、四つ葉クローバーを栽培できるようにする。次に、四つ葉クローバーの茎をポートから選択して、５世代にわたって組織培養を行い、これによって「ラッキー・トゥギャザー（Ｌｕｃｋｙ　Ｔｏｇｅｔｈｅｒ）」と命名された新種の四つ葉クローバーを得る。
【００２０】
段階（ｅ）では、このクローバーの変種の形質を、野生型クローバーの形質と比較して検討する。
【００２１】
段階（ｆ）では、この四つ葉クローバーの変種の茎および根を分割して、移植した後、この品種の均一性を確認する。
【００２２】
更に具体的には、３枚の葉を含む茎を約７ｃｍの長さで切り取る。葉を茎から除いた後、成長点を含む茎を長さが約３〜４ｃｍの幾つかの切片に切断する。次に、滅菌のために、切片をコニカルフラスコに移して、７０％エチルアルコール溶液で３０秒間処理する。続いて、茎の切片を滅菌水で３回線上する。次に、茎の切片であって、切片のそれぞれが成長点を含むものをクリーンベンチ内で２〜３ｍｍの長さまで切断する。
【００２３】
切断切片を、クリーンベンチ内で約０．１〜０．３μｇ／ｌのエチルメタンスルホネート溶液に３秒間移し、突然変異および細胞分裂を誘発させる。次に、切断した切片を、滅菌水で洗浄する。次に、切断切片を基本ＭＳ培地、約０．５〜２．０ｍｇ／ｌの６−ベンジルアミノプリン、０．５ｍｇ／ｌのインドール−３−酢酸、および０．５ｍｇ／ｌのα−ナフタレン酢酸を含んでなる培地中においてインキュベーションし、これによって四つ葉クローバーの個々の器官が生成する。上記の工程を繰り返して行い、四つ葉クローバーの苗条を生成する（図１参照）。
【００２４】
苗条の切片を培地でインキュベーションして、四つ葉クローバーを得る。次に、適当な茎をクローバーの茎から選択して、これを次に基本ＭＳ培地、約０．５−５．０ｍｇ／ｌのインドール−３−酢酸、および約０．５−５．０ｍｇ／ｌのα−ナフタレン酢酸を含んでなる培地においてインキュベーションする。結果として、四つ葉クローバーの苗条および茎が正常に形成され、繊維状の根が発生して、まっすぐな形態で成長する。
【００２５】
発根したクローバーを、温室で湿度９０％、温度約１８〜２０℃、および光度７０％の条件下でパーライト、ピートモスおよび滅菌砂が１：１：１の比の混合物を含んでなる土壌に移植する。その結果、茎の９０％が正常に栽培される。茎を上記の方法で得られた四つ葉クローバーから選択し、５世代にわたる反復インキュベーションを行う。次に、得られたクローバーを「ラッキー・トゥギャザー（Ｌｕｃｋｙ　Ｔｏｇｅｔｈｅｒ）」と命名する。
【００２６】
クローバー「ラッキー・トゥギャザー（Ｌｕｃｋｙ　Ｔｏｇｅｔｈｅｒ）」の形質を検討する。この形質を野生型クローバーの形質と比較すると、本発明のクローバーは節を有し地表から離れて地面の上に成長するが、野生型は匍匐茎を有するので、本発明のクローバーは野生型クローバーより５〜１０ｃｍ長い。
【００２７】
図２ａおよび２ｂは、シャーレおよびポートに移植した本発明による作出したクローバーを示す。
【００２８】
新品種のクローバーは４枚の葉を有し、それぞれがハート形であり、それぞれの長さが野生型クローバーより短く、且つその幅が広い。更に、野生型クローバーの葉の色はダークグリーンであるが、本発明のクローバーの葉はライトグリーンである（図３参照）。一方、図４は、本発明によるクローバーを示しており、このクローバーの葉はハート形である。
【００２９】
４枚の葉は１本の茎から生じており、３個の白い花は総状花序を達成している。野生型クローバーは典型的には２または３年間栽培されるが、クローバー「ラッキー・トゥギャザー（Ｌｕｃｋｙ　Ｔｏｇｅｔｈｅｒ）」は毎年栽培することができる。
【００３０】
本発明のクローバーは、性質が強く且つ優れた成長能力を有している。このクローバーは強い光の下でも栽培することができ、低温および疾病に対して強い耐性を有する。更に、本発明のクローバーは、雑草と競争して打ち克つことができる。更に、本発明のクローバーは、地下に真直に伸びる根を有ししかも成長速度が大きいので、やせた土地でもかなり容易に栽培することができる。従って、このクローバーを用いて、土壌品質を改良することができる。更に、クローバーの収穫量が高いので、このクローバーを家畜用飼料として利用するのに適している。
【００３１】
上記のように、新品種のクローバーを、幾つかの根の切片に分割または切断し、温室に移植する。これらの手続きを多数繰り返しながら、優れた形質、例えば、葉の形状および色、地表被覆率、温度、湿度、光度などの生育条件、および増殖方法を有する個体を連続的に選択する。また、これらのクローバーは、商業的価値、装飾的価値、環境への適応性、栄養および生育条件、耐疾病性などのような優れた形質を有するものでなければならない。本発明による新品種のクローバーである「ラッキー・トゥギャザー」は、上記の形質を有するクローバーを選択する方法で得られる。最後に、その形質、その均一性、およびその安定性を確認した。
【００３２】
【実施例】
以下において、本発明によるクローバーの無性増殖の方法を詳細に説明するが、当業者であれば理解されるように、本発明の範囲は本発明のこの実施態様に限定されるものではない。
【００３３】
新品種のクローバー「ラッキー・トゥギャザー」の作出
朝鮮原産の野生型白クローバーであって、それぞれのクローバーが３枚の葉と長さが約７ｃｍの茎を有するもの２００株を採取した。
【００３４】
総ての葉を、クローバーから取り除いた。次に、クローバーの茎を約３〜４ｃｍノナが差に切断し、コニカルフラスコに移し、７０％エチルアルコール溶液に暴露して、茎を滅菌した。次に、茎の切片を滅菌水で洗浄した後、７０％エチルアルコール溶液に１５分間移し、茎切片の表面を滅菌した。続いて、茎切片を滅菌水で３回洗浄した。
【００３５】
白クローバーの滅菌切片をクリーンベンチ内で２〜３ｃｍの長さに再度切断し、切断切片のそれぞれが成長点を含むようにした。生成する白クローバーの切断切片をエチルメタンスルホネートで処理し、突然変異を誘発させた。結果を、表１に示す。
【００３６】
表１について説明すれば、苗条をそれぞれ０．１〜０．３μｇ／ｌのエチルメタンスルホネートで３秒間処理した。その結果、苗条を０．２μｇ／ｌのエチルメタンスルホネートで処理したときには、茎からの４枚の葉の生長に関する比が最大となる。
【００３７】
更に、白クローバーの苗条の突然変異および細胞分裂を促進するために、苗条を５℃の冷水で２０秒間処理し、次にこれを０．２μｇ／ｌのエチルメタンスルホネートの溶液に３秒間移した。次に、苗条を滅菌水で洗浄した。次いで、苗条を、基本ＭＳ培地、１．５ｍｇ／ｌの６−ベンジルアミノプリン、０．５ｍｇ／ｌのインドール−３−酢酸およびα−ナフタレン酢酸を含んでなる培地においてインキュベーションした。突然変異誘発因子の苗条培養に対する影響を、表２に示す。苗条のインキュベーションを、温度２１℃および光度５００ルックスの条件下で行った。
【００３８】
【表１】
2004000158.tif 000003
【００３９】
【表２】
2004000158.tif 000004
【００４０】
一方、１０〜３０ｇ／ｌのスクロースを培地に加えて、苗条の培養中のカルス形成および透明性比を減少させた。増殖および苗条生長に対するスクロース濃度の効果を、表３に示す。
【００４１】
【表３】
2004000158.tif 000005
【００４２】
培養容器（コントロール試料）およびミリポアバンド（３Ｍ）を二倍に取り付けて空気がミリポアバンドを通過するようにしたミリポア容器を用いて、培地中の苗条の透明性比を減少させた。次に、苗条のカルス形成および透明性比に関する培養容器における通気の影響を検討した。結果を、表４に示す。
【００４３】
【表４】
2004000158.tif 000006
【００４４】
更に、苗条を、基本ＭＳ培地、インドール−３−酢酸０．５〜５．０ｍｇ／ｌおよびα−ナフタレン酢酸０．５〜５．０ｍｇ／ｌを含んでなる培地で培養した。培養した苗条の根の生長に対する培地の影響を検討した。培養は、酸度ｐＨ５．５、２２〜２５℃、および光度８００ルックスの条件下で行った。検討の結果を、表５に示す。
【００４５】
【表５】
2004000158.tif 000007
【００４６】
本発明による検討において、苗条のインキュベーション効率は、ＢＡＰの濃度に比例して増大した。苗条の平均数は、１．０〜２．０ｍｇ／ｌのＢＡＰを加えた培地では２．７を上回った。しかしながら、苗条のそれぞれの基部から生成したカルスは、苗条の生長を阻害した。それにより、透明性比は４２．３％を上回った。表２を参照されたい。
【００４７】
また、スクロース濃度を培地中で調整して、カルス形成を減少させた。その結果、カルスは、１５〜２０ｇ／ｌのスクロースを加えた培地でしか生成しないことが観察された。表３を参照されたい。
【００４８】
更に、苗条をミリポア容器で培養し、苗条の透明性比を減少させた。その結果、苗条の透明性は全く観察されなかった。表４を参照されたい。
【００４９】
苗条の根付きは、基本ＭＳ培地にＩＢＡ０．５ｍｇ／ｌまたはＮＡＡ０．５〜１．０ｍｇ／ｌを加えた培地で良好に誘発された。表５を参照されたい。
【００５０】
新品種のクローバーの無性増殖
本発明によるクローバーの苗条および根が上記のように培地中で生成したならば、苗条を湿度９０％、温度１８〜２０℃、および光度７０％の環境下で温室に移動し、これを次にパーライト、ピートモスおよび滅菌砂を互いに１：１：１の比で混合した土壌に移植した。次に、水（約１８℃）を、毎日午前９〜１０時および午後４〜５時に苗条に供給した。その結果、９０％の苗条が、正常に生長した。四つ葉クローバーの茎を上記の方法で得て、組織培養によって５世代にわたって無性増殖した。
【００５１】
組織培養の方法を挿木再生の方法と比較した結果を、表６に示す。無性増殖では、四つ葉クローバーの多くが集められる。四つ葉クローバーから、葉の形状および色、地表被覆率、温度、湿度および光度などの生育条件、および増殖方法などの優れた形質を有する個体を選択した。また、クローバーは、その商業的および装飾的価値、環境への適合性、栄養および生育条件、および耐疾病性によって選択した。次に、形質の均一性を確認し、定着させた。
【００５２】
【表６】
2004000158.tif 000008
【００５３】
本発明によるクローバーの形質の検討
本発明による品種のクローバーの形質を検討し、一般に３枚の葉を有する野生型クローバーの形質と比較した。比較結果を、表７に示す。
【表７】
2004000158.tif 000009
【００５４】
表７に開示されているように、本発明のクローバーは４枚の葉を有する。それぞれの葉は、幅広のハート状であり、丈は野生型クローバーより短い。本発明のクローバーの匍匐茎（ｓｏｌｏｎ）は野生型とは異なり地表から離れて生育するので、本発明のクローバーの長さは野生型のものより約５〜１０ｃｍ長い。更に、本発明によるクローバーの色はライトグリーンであるが、野生型クローバーはダークグリーンである。
【００５５】
本発明のクローバーの葉および茎を、図４に示す。図４について説明すれば、４枚の葉がクローバーの１個の節から伸びており、花は３個の白色花床を有する総状花序である。本発明によるクローバーである「ラッキー・トゥギャザー」は一年生植物であり、野生型クローバーは多年生植物である。
【００５６】
本発明の新品種のクローバーは、強い性質、優れた耐低温および疾病性を有する。このクローバーは、強い光線の下で栽培することができる。また、根は地下に真直に伸びるので、クローバーは滅菌土壌で一層速やかに増殖し、良好に生育することができる。更に、このクローバーの収穫量は、野生型クローバーの収穫量よりずっと多い。従って、本発明によるクローバーは、飼料および土壌品質の改良に用いることができる。
【００５７】
「ラッキー・トゥギャザー」の植物組織培養と挿し木による増殖の比較
この検討では、無性増殖法を比較した。
通常の挿し木によるクローバーの増殖には、広い空間と多くの時間が必要である。更に、種子の休眠や種子数の限定が、この方法による増殖に対する制限要因であった。一方、クローバーの組織培養では、ウイルスなしの植物および一年中速やかな増殖が現れ、これにより沢山の時間と耕地空間を節約することができた。
【００５８】
組織培養の無性増殖、および挿木および取り木のような植物増殖では、親の形質と同じ形質を有する四つ葉クローバーが生成した。更に、このクローバーの品種が確立されたので、播種のような優勢増殖が可能であった。
【００５９】
上記のように、葉および茎を３枚の葉を有する野生型クローバーから選択し、エチルメタンスルホネート、６−ベンジルアミノプリン、インドール−３−酢酸およびα−ナフタレン酢酸で処理して、突然変異を誘発させる。次に、選択して突然変異誘発した茎を用いて、組織培養を繰り返し行った。これにより、四つ葉クローバーが生成し、このクローバーは、性質が強く、耐低温性が強く、耐疾病性に優れ、商業的および装飾的価値が高かった。更に、本発明によるクローバーは、強い光線の下で速やかに生育する。更に、これは、雑草との競争に打ち克つことができる。従って、本発明によるクローバーは、園芸産業、牧草地の構築、土壌品質の改良、および家畜用飼料の供給に用いることができる。
【００６０】
本発明を特定の態様に関して具体的に示して説明してきたが、当業者であれば、形態および詳細における様々な変更を特許請求の範囲によって定義されている本発明の精神および範囲から離反することなく行うことができることを理解されるであろう。
【図面の簡単な説明】
【図１】図は、本発明の好ましい態様による四つ葉クローバーの新品種のＭＳ培地を示す写真である。
【図２Ａ】図は、本発明の好ましい態様による４枚の葉を有するクローバーの新品種であって、クローバーの苗条がそれぞれシャーレとポートに配置されていることを示す写真である。
【図２Ｂ】図は、本発明の好ましい態様による４枚の葉を有するクローバーの新品種であって、クローバーの苗条がそれぞれシャーレとポートに配置されていることを示す写真である。
【図３】図は、本発明の好ましい態様による四つ葉クローバーの新品種であって、根が試験管で発根していることを示す写真である。
【図４】図は、本発明の好ましい態様による４枚の葉を有するクローバーの新品種の葉および茎を示す写真である。
【図１】
2004000158.tif 000011
【図２Ａ】
2004000158.tif 000012
【図２Ｂ】
2004000158.tif 000013
【図３】
2004000158.tif 000014
【図４】
2004000158.tif 000015
【外国語明細書】
2004000158.tif 000016
2004000158.tif 000017
2004000158.tif 000018
2004000158.tif 000019
2004000158.tif 000020
2004000158.tif 000021
2004000158.tif 000022
2004000158.tif 000023
2004000158.tif 000024
2004000158.tif 000025
2004000158.tif 000026
2004000158.tif 000027
2004000158.tif 000028
2004000158.tif 000029
2004000158.tif 000030
2004000158.tif 000031
2004000158.tif 000032
2004000158.tif 000033
2004000158.tif 000034
2004000158.tif 000035
2004000158.tif 000036
2004000158.tif 000037
2004000158.tif 000038
2004000158.tif 000039
2004000158.tif 000040
2004000158.tif 000041
2004000158.tif 000042
2004000158.tif 000043
2004000158.tif 000044
2004000158.tif 000045
2004000158.tif 000046
2004000158.tif 000047
2004000158.tif 000048